(57)【特許請求の範囲】
【請求項１】
容器本体の口部外周面に始端から終端までが１周以内の口部側ねじ条を設け、上記口部に被せられる蓋の内周面に蓋側ねじ条を設け、該蓋側ねじ条の始端とその始端から１周以内の位置にある終端との間に所定のねじ端間隔を設け、上記蓋側ねじ条の中間部分を切欠いて形成される中間間隔の一端に始端側中間端部、他端に終端側中間端部を設けてなる蓋付き容器において、上記口部側ねじ条の始端近傍のねじ条上面に規制凸部を設け、該規制凸部を上記始端側中間端部の下面に当接させて、上記蓋側ねじ条の終端側中間端部が上記口部側ねじ条の始端の下面に入り込むことを防止したことを特徴とする蓋付き容器。
【請求項２】
上記の口部側ねじ条の始端から上記の規制凸部までの長さが、上記中間間隔の大きさと等しいか、その近傍の大きさに設定されていることを特徴とする請求項１に記載の蓋付き容器。
【請求項３】
上記の規制凸部の上端面が上記の口部側ねじ条に沿う一定長さの平坦面に形成されていることを特徴とする請求項１又は２に記載の蓋付き容器。
【請求項４】
上記の口部側ねじ条の始端の上面と、上記蓋側ねじ条の終端側中間端部の下面の両方又はいずれか一方にアール又はテーパを付けたことを特徴とする請求項１から３のいずれかに記載の蓋付き容器。
【請求項５】
容器本体の口部外周面に始端から終端までが１周以内の口部側ねじ条を設け、上記口部に被せられる蓋の内周面に蓋側ねじ条を設け、該蓋側ねじ条の始端とその始端から１周以内の位置にある終端との間に所定のねじ端間隔を設け、上記蓋側ねじ条の中間部分を切欠いて形成される中間間隔の一端に始端側中間端部、他端に終端側中間端部を設けてなる蓋付き容器において、上記の蓋側ねじ条の始端側中間端部近傍のねじ条の下面に規制凸部を設け、該規制凸部を上記口部側ねじ条の上面に当接させて、上記蓋側ねじ条の終端側中間端部が上記口部側ねじ条の始端の下面に入り込むことを防止したことを特徴とする蓋付き容器。
【発明の詳細な説明】
【０００１】
【発明の属する技術分野】
この発明は、水筒、魔法びん等の蓋付き容器に関するものである。
【０００２】
【従来の技術】
一般に、蓋付き容器は図６及び図７に示すように、容器本体１の口部２の外周面に始端３から終端４までが１周以内の口部側ねじ条５が設けられ、また、口部２に被せられるコップ形の蓋６の内周面に蓋側ねじ条７が設けられる。この蓋側ねじ条７の始端８から１周以内の位置にある終端部９との間に所定の大きさのねじ端間隔Ａが形成される。また、蓋側ねじ条７の中間部分を切欠いて、その蓋側ねじ条７の始端８に連続した始端側中間端部１１と、終端９に連続した終端側中間端部１２との間に所定の大きさの中間間隔Ｂが形成される。
【０００３】
上記のねじ端間隔Ａと中間間隔Ｂは、取手１３の両側約９０度の位置に設けられ、この取手１３を把持して蓋６で飲料を飲む際に、唇が蓋側ねじ条７に触れることを防止し、また飲料の液切れを良好にしている。
【０００４】
上記の蓋６は、その蓋側ねじ条７の始端８を口部側ねじ条５の始端３の下面に係合させ、ほぼ２７０度回転させることによりねじ締めされ、そのねじ締めの終端において、蓋側ねじ条７の始端８の近傍に設けたクリック凹部１４が、口部側ねじ条５の終端部に設けたクリック凸部１５に嵌まり合いクリック感を与える。
【０００５】
なお、図において符号１６は中栓ねじ締め用のねじ条である。
【０００６】
【発明が解決しようとする課題】
上記のような蓋付き容器において、蓋６をねじ締めする場合、本来ならば前述のように蓋側ねじ条７の始端８が口部側ねじ条５の始端３に係合するべきところ、図８（ａ）に示すように、蓋側ねじ条７の終端側中間端部１２と口部側ねじ条５の始端３との間の間隔は実質的のゼロであるので、わずかに蓋が傾くだけで図８（ｂ）に示すように、蓋側ねじ条７の終端側中間端部１２が先に口部側ねじ条５の始端３に係合してしまうことがある。
【０００７】
このような係合に気付かずに蓋６を回転させると、終端側中間端部１２が口部側ねじ条５の始端３の下面に入り込む（容器本体１側から見れば、中間間隔Ｂの部分で口部側ねじ条５の始端３が終端側中間端部１２の上に乗り上げる。）。このような事態は、いわゆる蓋の「斜め入り」であり、蓋６のねじ締めが不可能となる。
【０００８】
そこで、この発明は上記のような斜め入りが発生しないねじ構造をもった蓋付き容器を提供することを課題とする。
【０００９】
【課題を解決するための手段】
上記の課題を解決するために、この発明は、容器本体の口部外周面に始端から終端までが１周以内の口部側ねじ条を設け、上記口部に被せられる蓋の内周面に蓋側ねじ条を設け、該蓋側ねじ条の始端とその始端から１周以内の位置にある終端との間に所定のねじ端間隔を設け、上記蓋側ねじ条の中間部分を切欠いて形成される中間間隔の一端に始端側中間端部、他端に終端側中間端部を設けてなる蓋付き容器において、上記口部側ねじ条の始端近傍のねじ条上面に規制凸部を設け、該規制凸部を上記始端側中間端部の下面に当接させて、上記蓋側ねじ条の終端側中間端部が上記口部側ねじ条の始端の下面に入り込むことを防止したものである。
【００１０】
上記の口部側ねじ条の始端から上記の規制凸部までの長さが、上記中間間隔の大きさと等しいか、その近傍の大きさに設定された構成や、上記の規制凸部の上端面が上記の口部側ねじ条に沿う一定長さの平坦面に形成された構成、上記の口部側ねじ条の始端の上面と、上記蓋側ねじ条の終端側中間端部の下面の両方又はいずれか一方にアール又はテーパを付けた構成をとることができる。
【００１１】
なお、前記の課題を解決するその他の手段として、上記の蓋側ねじ条の始端側中間端部近傍のねじ条の下面に規制凸部を設け、該規制凸部を上記口部側ねじ条の上面に当接させて、上記蓋側ねじ条の終端側中間端部が上記口部側ねじ条の始端の下面に入り込むことを防止する構成を採ることもできる。
【００１２】
【発明の実施の形態】
以下、この発明の実施形態を添付図面に基づいて説明する。図１及び図２に示すように、実施形態の液体容器は前述の従来例と共通の構成を有するので、同一部分には同一の符号を付して示すにとどめ、重複した説明を省略する。
【００１３】
従来の構成と相違する点は、口部側ねじ条５の始端３の近傍のねじ条上面に規制凸部１７を設けている点である。この規制凸部１７は上端面１８がねじ条の長さ方向に一定長さの平坦面を有する台形をなしている。その平坦面の前端１８ａ（始端３側の端部、図３（ａ）参照）の始端３からの長さは前記の中間間隔Ｂの大きさと同等かその近傍にあり、後端１８ｂの始端３からの長さは中間間隔Ｂより大きい。
【００１４】
規制凸部１７を上記の位置より始端３側に寄せ、その後端１８ｂを始端３から中間間隔Ｂより小さくなる位置に設けた場合でも、所期の目的を達成することができる。逆に、上記の位置より始端３と反対側へ寄せ、図４（ａ）に示すように、その前端１８ａを中間間隔Ｂより大きい位置に設けることは差し支えないが、その位置は始端３から９０度を越えない位置に設定することが好ましい。
【００１５】
上記の蓋６を容器本体１の口部２に被せた場合、図３（ａ）に示すように、中間間隔Ｂの範囲に口部側ねじ条５の始端３が位置し、斜め入りする危険があるときにおいても、規制凸部１７が始端側中間端部１１の下面に当接する（言い換えれば、始端側中間端部１１の下面が規制凸部１７の上端面１８に載る）ので、口部側ねじ条５の始端３と蓋側ねじ条７の終端側中間端部１２との間に一定の大きさの間隔Ｃが形成される。
【００１６】
このため、蓋締め操作において通常生じる程度に蓋６を傾けても上記の間隔Ｃがマイナスになることはないので、蓋側ねじ条７の終端側中間端部１２が口部側ねじ条５の始端３の下面に入り込む事態、即ち斜め入りは生じない。
【００１７】
上記の間隔Ｃを形成する規制凸部１７の形状は、必ずしも台形である必要はない。図４（ｂ）に示すような単純な山形の規制凸部１７’であってもよい。その規制凸部１７’の位置は、始端３から中間間隔Ｂに等しいか又はそれより大きい位置に設定される。ただし、前記のような台形の規制凸部１７の場合は、その平坦な上端面１８により蓋６が安定よく支持され，傾き難いため斜め入りを一層効果的に防止することができる。
【００１８】
上記のようにして斜め入りが防止された後は、蓋６の回転に伴い蓋側ねじ条７の始端８が口部側ねじ条５の始端３の下面に係合してねじ締まりが開始され（図３（ｂ）参照）、更に中間間隔Ｂの部分が口部側ねじ条５の始端３の下方を通過して（図３（ｃ）参照）、ねじ締まりの開始から約２７０度の回転で蓋側ねじ条７の始端８近傍のクリック凹部１４が、口部側ねじ条５の終端９近傍のクリック凸部１５に嵌まり合いクリック感を与える（図３（ｄ）参照）。
【００１９】
なお、上記の口部側ねじ条５の始端３と、蓋側ねじ条７の終端側中間端部１２は、蓋６の傾が大きくなると相互に衝突することがあるので、図４（ｃ）に示すように、上記の始端３の上面２１と、終端側中間端部１２の下面２１’にアール又はテーパを付け、上記の衝突を緩和して正常なねじ締まり方向に案内させるようにすることが望ましい。
【００２０】
以上の実施形態においては、規制凸部１７を口部側ねじ条５に設けているが、この規制凸部１７は、図５に示すように蓋側ねじ条７の始端側中間端部１１の下面に設けてもよい。この位置に設けると、規制凸部１７が口部側ねじ条５の始端３近傍のねじ条の上面に当接するので、口部側ねじ条５の始端３と蓋側ねじ条７の終端側中間端部１２との間に一定の大きさの間隔Ｃが形成される。
【００２１】
このため、前述の場合と同様に通常の蓋締め操作においては間隔Ｃがマイナスになることはないので、蓋側ねじ条７の終端側中間端部１２が口部側ねじ条５の始端３の下面に入り込む斜め入りは生じない。
【００２２】
【発明の効果】
以上のように、この発明は口部側ねじ条の始端近傍のねじ条上面に規制凸部を設け、該規制凸部を上記終端側中間部の下面に当接させることにより、又は蓋側ねじ条の始端側中間端部の近傍のねじ条の下面に規制凸部を設け、その規制凸部を上記口部側ねじ条の上面に当接させることにより、蓋側ねじ条の終端側中間端部が上記口部側ねじ条の始端の下面に入り込む事態、即ち斜め入りが防止され、容器本体の口部に蓋を円滑に螺合させることができる。
【図面の簡単な説明】
【図１】実施形態の一部省略分解斜視図
【図２】同上の口部の正面図
【図３】（ａ）〜（ｄ）  同上の蓋のねじ締まり状態を示す口部の正面図
【図４】（ａ）〜（ｃ）  口部の変形例の一部を示す正面図
【図５】他の実施形態の口部の正面図
【図６】従来例の一部を示す一部省略分解斜視図
【図７】同上の口部の正面図
【図８】（ａ）同上の口部の正面図
（ｂ）同上の斜め入り状態の断面図
【符号の説明】
１  容器本体
２  口部
３  始端
４  終端
５  口部側ねじ条
６  蓋
７  蓋側ねじ条
８  始端
９  終端
１１  始端側中間端部
１２  終端側中間端部
１３  取手
１４  クリック凹部
１５  クリック凸部
１６  ねじ条
１７、１７’規制凸部
１８  上端面
１８ａ  前端
１８ｂ  後端
２１  上面
２１’  下面
【図１】
0003574006.tif 000002
【図２】
0003574006.tif 000003
【図３】
0003574006.tif 000004
【図４】
0003574006.tif 000005
【図５】
0003574006.tif 000006
【図６】
0003574006.tif 000007
【図７】
0003574006.tif 000008
【図８】
0003574006.tif 000009